(57)【要約】【課題】複数のボイスコイルの音声を互いに干渉し合うことなく出力可能な粒子伝導型のスピーカを提供する。【解決手段】磁気回路（永久磁石、ヨーク）内に設けられ、入力される駆動電流に基づいて振動する複数のボイスコイル（２）と、複数のボイスコイル２のそれぞれに連結され、ボイスコイル２の振動を伝達する複数の伝達部と、複数の伝達部が固定される振動板（６）とを備え、複数のボイスコイル２の振動が、複数の伝達部を介して振動板６に伝達されることにより音声が出力される粒子伝導型のスピーカ１００とする。【選択図】図１
2006303820.tif 000002
【特許請求の範囲】
【請求項１】
粒子伝導型のスピーカにおいて、
磁気回路内に設けられ、入力される駆動電流に基づいて振動する６つのボイスコイルと、前記６つのボイスコイルのそれぞれに連結され、当該ボイスコイルの振動を伝達する６つの伝達部と、当該６つの伝達部に固定される６つの固定部が等間隔に配置されている振動板と、を備え、
前記６つの固定部は、前記振動板における、当該粒子伝導型のスピーカの前部、右前部、左前部、右後部、左後部、後部の各々に対応する位置に設けられ、
前記６つの固定部のそれぞれに伝達部を介して連結される６つのボイスコイルのうち、低音域の音声の振動を生成してなる低音用ボイスコイルは、前記振動板の後部に設けられた固定部に固定され、
前記６つのボイスコイルの振動が、前記６つの伝達部を介して前記振動板に伝達されることにより音声が出力されることを特徴とする粒子伝導型のスピーカ。
【請求項２】
磁気回路内に設けられ、入力される駆動電流に基づいて振動する複数のボイスコイルと、前記複数のボイスコイルのそれぞれに連結され、当該ボイスコイルの振動を伝達する複数の伝達部と、前記複数の伝達部に固定される振動板とを備え、前記複数のボイスコイルの振動が、前記複数の伝達部を介して前記振動板に伝達されることにより音声が出力されることを特徴とする粒子伝導型のスピーカ。
【請求項３】
請求項２に記載の粒子伝導型のスピーカにおいて、
前記振動板は、前記複数の伝達部の各々に固定される複数の固定部を備え、
前記複数の固定部の各々は、前記振動板に等間隔に配置されていることを特徴とする粒子伝導型のスピーカ。
【請求項４】
請求項３に記載の粒子伝導型のスピーカにおいて、
前記振動板は、６つの固定部を備えることを特徴とする粒子伝導型のスピーカ。
【発明の詳細な説明】
【技術分野】
【０００１】
本発明は、粒子伝導型のスピーカに関する。
【背景技術】
【０００２】
従来、複数のボイスコイルに流される駆動電流に応じて各々のボイスコイルと永久磁石の間で変化する磁力を、全てのボイスコイルが取付けられた共通の磁性振動部に作用させて振動させることにより音声を出力してなる電気音響変換装置（例えば、特許文献１参照）が知られている。
【特許文献１】特開２０００−５９８８９号公報
【発明の開示】
【発明が解決しようとする課題】
【０００３】
しかしながら、特許文献１に記載の電気音響変換装置においては、複数のボイスコイルにおいて変化する磁力を共通の磁性振動部に作用させることによって音声を出力するものであるため、各ボイスコイルで生じる磁力によって、磁性振動部に作用されてなる振動が互いに影響を受け合い、結果として、各ボイスコイルで再生された音声が重畳されて出力されてしまうという問題があった。
【０００４】
そこで、本明の課題は、複数のボイスコイルの音声を互いに干渉し合うことなく出力可能な粒子伝導型のスピーカを提供することである。
【課題を解決するための手段】
【０００５】
以上の課題を解決すべく、請求項１に記載の発明は、粒子伝導型のスピーカにおいて、磁気回路内に設けられ、入力される駆動電流に基づいて振動する６つのボイスコイルと、前記６つのボイスコイルのそれぞれに連結され、当該ボイスコイルの振動を伝達する６つの伝達部と、当該６つの伝達部に固定される６つの固定部が等間隔に配置されている振動板と、を備え、前記６つの固定部は、前記振動板における、当該粒子伝導型のスピーカの前部、右前部、左前部、右後部、左後部、後部の各々に対応する位置に設けられ、前記６つの固定部のそれぞれに伝達部を介して連結される６つのボイスコイルのうち、低音域の音声の振動を生成してなる低音用ボイスコイルは、前記振動板の後部に設けられた固定部に固定され、前記６つのボイスコイルの振動が、前記６つの伝達部を介して前記振動板に伝達されることにより音声が出力されることを特徴とする。
【０００６】
請求項２に記載の発明は、粒子伝導型のスピーカであって、磁気回路内に設けられ、入力される駆動電流に基づいて振動する複数のボイスコイルと、前記複数のボイスコイルのそれぞれに連結され、当該ボイスコイルの振動を伝達する複数の伝達部と、前記複数の伝達部に固定される振動板とを備え、前記複数のボイスコイルの振動が、前記複数の伝達部を介して前記振動板に伝達されることにより音声が出力されることを特徴とする。
【０００７】
請求項３に記載の発明は、請求項２に記載の粒子伝導型のスピーカにおいて、前記振動板は、前記複数の伝達部の各々に固定される複数の固定部を備え、前記複数の固定部の各々は、前記振動板に等間隔に配置されていることを特徴とする。
【０００８】
請求項４に記載の発明は、請求項３に記載の粒子伝導型のスピーカにおいて、前記振動板は、６つの固定部を備えることを特徴とする粒子伝導型のスピーカ。
【発明の効果】
【０００９】
請求項１に記載の発明によると、６つからなる伝達部を介して、６のボイスコイルで生成された振動が振動板に伝達されて音声が出力されることとなる。この場合に、当該粒子伝導型のスピーカにおいては、振動板を構成する粒子を振動させることによって音声が出力されるものであり、ソリトンの特徴を有するため、６つのボイスコイルにおいて生成された振動どうしが振動板上において互いに干渉し合うことなく、各ボイスコイルにおいて生成された振動に基づいた音声を出力することができる。
【００１０】
また、振動板には、６つのボイスコイルが等間隔に連結されているため、好適なバランスで音声を出力することができる。
【００１１】
さらに、振動板が６つの固定部を備えることによって、当該粒子伝導型のスピーカを、６つのボイスコイルを備えてなる６チャンネルの音声出力システムに対応させることができる。つまり、６チャンネルの音声出力システムの一つである、５．１チャンネル方式の音声出力システムに好適に対応させることができ、当該システムにおいて、高い音響効果を実現することができる。
【００１２】
そして、低音域の音声の振動を生成してなる低音用ボイスコイルが、スピーカの後部に対応する位置に設けられた固定部に連結されることにより、高音域に比べて指向性の弱い低音域の音声の振動を生成してなるボイスコイルをスピーカの後部に対応する位置に連結することにより、指向性の強い音声をスピーカの前部、右前部、左前部、右後部、左後部より出力することができることとなって、当該粒子伝導型のスピーカの前方のユーザは、全ての音域の音声を好適なバランスで聴くことができる。
【００１３】
請求項２に記載の発明によると、複数の伝達部を介して、複数のボイスコイルで生成された振動が振動板に伝達されて音声が出力されることとなる。
【００１４】
この場合に、当該粒子伝導型のスピーカにおいては、振動板を構成する粒子を振動させることによって音声が出力されるものであるため、複数のボイスコイルにおいて生成された振動どうしが振動板上において互いに干渉し合うことなく、各ボイスコイルにおいて生成された振動に基づいた音声を出力することができる。
【００１５】
請求項３に記載の発明によると、請求項２に記載の発明の効果が得られるのは無論のこと、特に、振動板に設けられた固定部及びこれに固定された伝達部を介して、等間隔に複数のボイスコイルを連結することができる。これにより、好適なバランスで音声を出力することができる。
【００１６】
請求項４に記載の発明によると、請求項３に記載の発明の効果が得られるのは無論のこと、特に、振動板に設けられた６つの固定部と、当該固定部に固定される伝達部を介して、６つのボイスコイルを振動板に連結することができる。
【００１７】
これにより、当該粒子伝達型のスピーカを、６つのボイスコイルを備えてなる６チャンネルの音声出力システムに対応させることができる。つまり、６チャンネルの音声出力システムの一つである、５．１チャンネル方式の音声出力システムに好適に対応させることができ、当該システムにおいて、高い音響効果を実現することができる。
【発明を実施するための最良の形態】
【００１８】
以下、本発明の粒子伝導型のスピーカを好適に適用した実施形態として、６チャンネルからなる音声出力システム（例えば、５．１チャンネルサラウンドシステム）に対応した粒子伝導型のスピーカ（波動スピーカとも称される。以下、単に「スピーカ」という）１００を、図１、２を用いて詳細に説明する。但し、発明の範囲は図示例に限定されない。図１（ａ）は、スピーカ１００の上面図であって、同図（ｂ）はスピーカ１００の側面図である。また、図２は、図１のスピーカ１００のII−II線での概略断面図である。
【００１９】
図１、２に示すように、スピーカ１００は、入力される駆動電流に基づいて振動するボイスコイル２と、当該ボイスコイル２の導線巻回方向と略直交する方向（軸方向）に起立
し、ボイスコイル２によって周囲を略取り囲まれた永久磁石３と、永久磁石３が取付けられて、当該永久磁石３の周囲を取り囲んだヨーク４と、ボイスコイル２に連結されて、当該ボイスコイル２の振動を伝達する伝達部５とを備えるとともに、ボイスコイル２と、永久磁石３と、ヨーク４と、伝達部５とを内部に収容するフレーム７を備えて構成される振動生成部１と、当該振動生成部１の伝達部５が固定される固定部６１を備えてなる振動板６と等を備えて構成される。
【００２０】
そして、振動板６の縁部から突出して等間隔に配置された６つの固定部６１のそれぞれに、６つの振動生成部１ａ、１ｂ、１ｃ、１ｄ、１ｅ、１ｆそれぞれの伝達部５が取付けられることにより、スピーカ１００が構成される。
【００２１】
ボイスコイル２は、アンプ（図示省略）より入力された駆動電流に基づいて往復運動を繰り返すことにより振動を生成する。ボイスコイル２は、例えば、非磁性材料としてのフィルムを円筒状に成形したボビン２１の周囲に螺旋状に導線２２が巻き付けられることにより形成される。
【００２２】
ボビン２１に用いられるフィルムとしては、例えば、ポリエチレン・テレフタレートフィルム、ポリイミドフィルム、ポリカーボネートフィルム、ナイロンフィルム等、一般的に知られる各種フィルムを用いることができる。ここで、ボビン２１の周囲に巻回される導線２２は電流が流れることにより発熱するため、ボビン２１としては、例えばポリプロピレン等の耐熱性に優れたフィルムを用いることが好ましい。
【００２３】
尚、ボビン２１に用いられる材料としては、フィルムに限られることはなく、非磁性材料であればよい。
【００２４】
ボビン２１は、例えば略長方形状のフィルムの長手方向両端部を接合することによって円筒状に成形される。従って、円筒状のボビン２１の軸方向両端には開口部２１ａ、２１ｂが形成される。
【００２５】
導線２２は、例えば、エナメル等の絶縁被膜付きの銅線（エナメル線）等によって形成される。導線２２は、ボビン２１の一方の開口部２１ａ端から、ボビン２１の軸方向の長さに対して略３分の２程度に亘って、ボビン２１の軸方向と略直交する方向に規則正しく巻回される。隣り合う導線２２の間隔は自由に設定することができ、例えば、隙間を設けずに巻回することとしてもよい。狭い間隔で導線２２を巻回することによって、巻回回数を多くすることができる。
【００２６】
尚、導線２２としては、エナメル線に限られるものではなく、導電性を備える細線であればよい。
【００２７】
ボビン２１の、導線２２が巻回された側の開口部２１ａより永久磁石３が挿入されることにより、ボイスコイル２によって永久磁石３が略取り囲まれた状態となる。
【００２８】
ここで、例えば、５．１チャンネルサラウンドシステムに対応したスピーカ１００は、計６つの各チャンネルに対応したボイスコイル２を備える。具体的には、例えば、５．１チャンネルサラウンドシステムによる音響効果を最大限に発揮可能なバランスで音声を出力するために、当該スピーカ１００において、視聴者の前方、右前方、左前方、右後方、左後方、後方の計６方向に音声を出力する。従って、スピーカ１００は、その前部より出力される音声を生成させるための駆動電流が供給されるボイスコイル、換言すると、前部より出力される音声に係る振動を生成してなるボイスコイルである前部ボイスコイル２ａと、右前部より出力される音声に係る振動を生成してなるボイスコイルである右前部ボイスコイル２ｂと、以下同様に、左前部より出力される音声に係る左前部ボイスコイル２ｃと、右後部より出力される音声に係る右後部ボイスコイル２ｄと、左後部より出力される音声に係る左後部ボイスコイル２ｅと、後部より出力される音声に係る後部ボイスコイル２ｆと、を備えて形成される。
【００２９】
永久磁石３は、Ｓ極とＮ極を有する。永久磁石３としては、例えば、アルニコ磁石等の合金磁石や、フェライト磁石、サマリウム・コバルト磁石等の希土類磁石といった磁石を用いることができる。
【００３０】
永久磁石３は円柱形状からなり、その直径は、ボイスコイル２のボビン２１の内径よりも僅かに小さく、ボビン２１によって永久磁石３が取り囲まれた場合に、ボビン２１の内壁と永久磁石３の側面とが互いに接しない程度となっている。また、永久磁石３のＳ極を構成する一方の端部３ｂはボイスコイル２によって取り囲まれ、他方の端部であって、Ｎ極を構成する端部３ａはボイスコイル２の開口部２１ａより外側に露出し、当該端部３ａの端面は、ヨーク４に固定される。
【００３１】
ヨーク４は、永久磁石３が作り出す反磁場による影響を抑えて、永久磁石３の吸着力を増幅させてなる。ヨーク４は、例えば、鉄や鈍鉄、ケイ素鉄やアモルファス等の軟磁性材料によって形成される。
【００３２】
ヨーク４は、円盤状の平板部４１と、平板部４１の円周に連続的に起立してなる側壁部４２によって一体的に（または別体を接合したものでもよい）形成されたものであり、平板部４１の、側壁部４２が起立する側の平面の略中央に、平板部４１の平面と永久磁石３の端部３ａの端面が当接するように、永久磁石３が固着されている。
【００３３】
平板部４１の直径は、平板部４１の円周に亘って設けられた側壁部４２の内壁と、平板部４１の略中央に固着された永久磁石３の周囲を取り囲んでいるボイスコイル２の導線２２とが接しない程度の長さとなっている。
【００３４】
永久磁石３及びヨーク４によって磁気回路（磁界）が形成される。具体的には、側壁部４２が取り囲む領域に、永久磁石３によって生成され、ヨーク４によって導かれた磁束により強い磁場が発生することとなる。従って、当該磁気回路内に配置されるボイスコイル２は、強い磁場の中に設けられることとなる。
【００３５】
以上の様に、ボイスコイル２と、永久磁石３と、ヨーク４が配設されることによって、図示しないアンプよりボイスコイル２に駆動電流が流れることにより、永久磁石３による磁界と導線２２を流れる電流との間に電磁力が生じ、この力がボイスコイル２に作用することによって、ボイスコイル２が往復運動を行う。
【００３６】
伝達部５は、ボイスコイル２で生成された振動を振動板６に伝達する。伝達部５は、例えば、発泡スチロールやカーボン等の樹脂や、マホガニー、ローズウッド、エボニー、樫、楢、楓、チーク、松、桐、バルサ材等の木材によって形成される。これらの樹脂や木材は単体で用いてもよく、組み合わせて集成材として用いることとしてもよい。本実施形態においては、軽量で容易に成形可能なバルサ木材を単体で用いた。
【００３７】
伝達部５は、ボイスコイル２のボビン２１と略同一の直径の円柱形状からなる。伝達部５の一方の端面５ａには、例えば、接着剤やビス、ネジ（いずれも図示省略）等の好適な固定手段によって、ボビン２１が、その開口部２１ｂを塞ぐようにして固定される。また、伝達部５の他方の端面５ｂには、振動板６を取付けてなる差込部５１が設けられる。
【００３８】
差込部５１は、伝達部５を形成してなるバルサ材を切り欠くことにより設けられる。より具体的には、バルサ材の端面５ｂに略矩形状の開口面が形成され、伝達部５の側面５ｃに略Ｌ字型の開口面が形成されるように切り欠かれる。
【００３９】
フレーム７は、ボイスコイル２と、永久磁石３と、ヨーク４と、伝達部５を内部に収容し、伝達部５の上方で開口する開口部７１を備える。
【００４０】
以上に説明した、ボイスコイル２と、永久磁石３と、ヨーク４と、伝達部５と、フレーム７と、等によって振動生成部１が構成される。
【００４１】
次に、音声を出力してなる振動板６の構成について説明する。
【００４２】
振動板６としては、例えば、木材や紙材、金属、樹脂等を用いることができる。木材としては、例えば、伝達部５で例示した各種木材を用いることができる。また、紙材としては、例えば、ケント紙、画用紙、厚紙（ボール紙）、ダンボール紙等の各種紙材を用いることができる。そして、金属としては、例えば、アルミニウム、銅、ステンレス等の各種金属を用いることができる。更に、樹脂としては、熱硬化性樹脂と熱可塑性樹脂のいずれをも用いることができ、例えば、ポリエステル樹脂、ポリエチレン樹脂、エポキシ樹脂、アクリロニトリル・ブタジエン・スチレン樹脂（ＡＢＳ樹脂）等の各種樹脂を用いることができる。
【００４３】
尚、振動板６としては、前述の材料に限られることはなく、適宜好適な材料を用いることができるが、ボイスコイル２で生成されて伝達部５より伝達された振動を減衰させることなく効率的に伝達するためには、適度な剛性を備えることが好ましい。本実施形態においては、適度な剛性を備えると共に、容易に成形できるという点で好ましい材料であるＡＢＳ樹脂を振動板６として用いた。
【００４４】
振動板６は、ＡＢＳ樹脂からなる１枚の板状部材によって成形される。
【００４５】
図１に示すように、振動板６は、略半球形状からなり、振動板６の縁部には、等間隔に６つの固定部６１が設けられている。
【００４６】
固定部６１は、振動板６の縁部から突出した本体部６１１と、本体部６１１の先端に当該振動板６の内側方向に略直角に折り曲げられて形成される係止部６１２とによって構成され、側面視において略Ｌ字状となっている。固定部６１の厚みは、伝達部５に設けられた差込部５１の幅と略同一となるように形成される。
【００４７】
固定部６１は、振動板６の、スピーカ１の前部に対応する位置に設けられた前部固定部６１ａと、右前部に対応する位置に設けられた右前部固定部６１ｂと、左前部に対応する位置に設けられた左前部固定部６１ｃと、右後部に対応する位置に設けられた右後部固定部６１ｄと、左後部に対応する位置に設けられた左後部固定部６１ｅと、後部に対応する位置に設けられた後部固定部６１ｆとからなる。
【００４８】
６つの固定部６１ａ〜６１ｆは、振動板６の縁部が外側方向にやや開いた状態で形成される。
【００４９】
振動板６に設けられた６つの固定部６１ａ〜６１ｆは、それぞれ振動生成部１の伝達部５に固定される。
【００５０】
具体的には、振動板６に設けられた前部固定部６１ａは前部ボイスコイル２ａが収納された振動生成部１ａに固定され、右前部固定部６１ｂは右前部ボイスコイル２ｂが収納された振動生成部１ｂに固定され、左前部固定部６１ｃは左前部ボイスコイル２ｃが収納された振動生成部１ｃに固定され、右後部固定部６１ｄは右後部ボイスコイル２ｄが収納された振動生成部１ｄに固定され、左後部固定部６１ｅは左後部ボイスコイル２ｅが収納された振動生成部１ｅに固定され、後部固定部６１ｆは後部ボイスコイル２ｆが収納された振動生成部１ｆに固定される。
【００５１】
ここで、後部固定部６１ｆが連結される振動生成部１ｆに収納される後部ボイスコイル２ｆは、低音域の音声の振動を生成してなる低音用ボイスコイルである。
【００５２】
振動生成部１においては、ボイスコイル２が伝達部５に連結され、振動板６が伝達部５に固定されていることにより、ボイスコイル２が往復運動をすることによって生成された振動が伝達部５を介して振動板６に伝達される。更に、振動板６に振動が伝達されることによって音声が出力される。より具体的には、振動が伝達される振動板６を構成する分子の粒子が、ボイスコイル２で生成されて伝達部５を介して伝達された振動によって揺り動
かされることによって音声が出力される。
【００５３】
次に、振動板６の振動生成部１への固定方法について説明する。
【００５４】
振動板６は、振動生成部１の開口部７１から、伝達部５等が収納されてなるフレーム７の内側に差し込まれ、さらに、本体部６１１と係止部６１２とからなる略Ｌ字型の固定部６１を、振動部５の側面視略Ｌ字型の差込部５１へ側面５ｃ側からスライドさせて嵌め込むことによって振動生成部１に連結される。
【００５５】
より具体的には、振動板６の外側方向にやや開いた状態で振動板６に形成される固定部６１ａ〜６１ｆが、当該固定部６１ａ〜６１ｆの壁面が振動生成部１ａ〜１ｆに設けられた差込部５１の内壁に沿うようにやや内側方向に力を加えられながら振動生成部１ａ〜１ｆに差し込まれることにより固定される。
【００５６】
振動板６の内側方向に力を加えながら差し込まれることによって、固定部６１ａ〜６１ｆを介して振動生成部１に固定された振動板６にはストレスが付加された状態で固定されることとなる。スピーカ１００は粒子伝導型のスピーカであって、粒子伝導型のスピーカの振動板６にストレスが加えられていることによって、伝達部５を介して伝達された振動によって効率的に音声が出力されることとなる。
【００５７】
また、開口部７１を形成するケース７上部の下面と、伝達部５の開口部７１側の端面５ｂとの間に形成される間隙に、クッション材７２、７２が設けられる。本実施形態においては、クッション材７２を開口部７１の縁に沿って、振動板６を挟んで二箇所に設けたが、開口部７１の縁に沿って連続的に設けられるものであっても良く、少なくとも、クッション材７２がケース７及び伝達部５に接していれば足りる。クッション材７２、７２としては、例えば、ゴムや硬質スポンジ等を用いることができる。
【００５８】
更に、振動生成部１に固定された振動板６を、例えば、振動生成部１のフレーム７に、何れも図示しない連結部材やネジ、ビス等の好適な固定手段を用いて固定することとしてもよい。
【００５９】
以上に説明したスピーカ１００によると、６つのボイスコイル２ａ〜２ｆで生成された振動が６つの伝達部５を介して振動板６に伝達されて音声が出力されることとなる。この場合に、当該スピーカ１００においては、振動板６を構成する粒子を振動させることによって音声が出力されるものであり、ソリトンの特徴を有するため、複数のボイスコイル２ａ〜２ｆにおいて生成された振動どうしが振動板６上において互いに干渉し合うことなく、各ボイスコイル２ａ〜２ｆにおいて生成された振動に基づいた音声を出力することができる。
【００６０】
また、振動板６には６つのボイスコイル２ａ〜２ｆが等間隔に連結されているため、好適なバランスで音声を出力することができる。
【００６１】
さらに、振動板６が６つの固定部６１ａ〜６１ｆを備えることによって、スピーカ１００を、６つのボイスコイルを備えてなる６チャンネルの音声出力システムに対応させることができる。つまり、６チャンネルの音声出力システムの一つである、５．１チャンネル方式の音声出力システムに好適に対応させることができ、当該システムにおいて、高い音響効果を実現することができる。
【００６２】
そして、低音域の音声の振動を生成してなる低音用ボイスコイルである後部ボイスコイル２ｆが収納された振動生成部１ｆが振動板６の後部に設けられた後部固定部６１ｆに連結されることによって、高音域に比べて指向性の弱い低音域の音声の振動を生成してなるボイスコイル２ｆを、スピーカ１の後部に対応する位置に連結することにより、指向性の強い音声をスピーカ１００の前部、右前部、左前部、右後部、左後部より出力することができることとなって、スピーカ１００の前方のユーザが、全ての音域の音声を好適なバランスで聴くことができる。
【００６３】
尚、振動板６に設けられる固定部６１は６つに限られるものではなく、６つ以上の固定部を備えることとしてもよいし、例えばこの粒子伝導型スピーカを２チャンネルサウンド
システムに対応させて利用する場合には２つの固定部があれば足りる。
【００６４】
また、振動板６に設けられる複数の固定部６１は、必ずしも等間隔に設けることを必要とせず、必要に応じて、その配置を設定することができる。
【００６５】
また、５．１チャンネルサラウンドシステムに対応したスピーカ１００の振動板は、例えば、天井直付照明器具として知られているシーリングライトのカバーとして兼用させることもできる。具体的には、例えば、図３に示すように、６つのボイスコイル２ａ〜２ｆを備える振動生成部１ａ〜１ｆを天井に設け、ここに図示しない照明を内蔵した振動板６を直接取付けることによって、スピーカとしてだけでなく、シーリングライトのカバーとしても使用することができる。
【００６６】
また、低音域の音声に係る振動を生成してなるボイスコイル２ｆを、振動板６における、スピーカ１の後部に配設された後部固定部６１ｆに連結することとしたが、これに限られるものでは無く、必要に応じて、固定部に対するボイスコイル２の配置を設定することができる。
【図面の簡単な説明】
【００６７】
【図１】本発明を好適に適用した粒子伝導型のスピーカの上面図（ａ）と側面図（ｂ）である。
【図２】図１におけるスピーカ１００のII−II線での概略断面図である。
【図３】スピーカ１００をシーリングライトのカバーとして用いた場合の使用例を説明するための図である。
【符号の説明】
【００６８】
１（１ａ、１ｂ、１ｃ、１ｄ、１ｅ、１ｆ）  振動生成部
２  ボイスコイル
２ａ  前部ボイスコイル
２ｂ  右前部ボイスコイル
２ｃ  左前部ボイスコイル
２ｄ  右後部ボイスコイル
２ｅ  左後部ボイスコイル
２ｆ  後部ボイスコイル
３  永久磁石（磁気回路）
４  ヨーク（磁気回路）
５  伝達部
５１  差込部
６  振動板
６１  固定部
６１ａ  前部固定部
６１ｂ  右前部固定部
６１ｃ  左前部固定部
６１ｄ  右後部固定部
６１ｅ  左後部固定部
６１ｆ  後部固定部
６１１  本体部
６１２  係止部
７  フレーム
１００  粒子伝導型のスピーカ
【図１】
2006303820.tif 000003
【図２】
2006303820.tif 000004
【図３】
2006303820.tif 000005